(57)【特許請求の範囲】
【請求項１】
リジッドペーパーボード又は強化段ボール又はハニカムボードでできた６面を有する直方体であって、該６面のうち少なくとも２面に接合具を通す接合穴と、少なくとも１面に手を入れて連結作業ができる作業穴と、を備え、かつ、該接合穴を有する面同士が密着して、連結し固定することを特徴とする屋内用紙製ブロック。
【請求項２】
前記接合穴が、前記６面全てに備えられたことを特徴とする請求項１に記載の屋内用紙製ブロック。
【請求項３】
前記作業穴が、前記６面全てに備えられたことを特徴とする請求項１又は２に記載の屋内用紙製ブロック。
【請求項４】
少なくとも１面に掲示物を固定する掲示穴を備えたことを特徴とする請求項１又は２又は３に記載の屋内用紙製ブロック。
【請求項５】
前記掲示穴が、前記６面全てに備えたことを特徴とする請求項４に記載の屋内用紙製ブロック。
【請求項６】
前記掲示穴に、パネル用ネジを用いて紙製硬質ボードを取付けたことを特徴とする請求項４又は５に記載の屋内用紙製ブロック。
【発明の詳細な説明】
【技術分野】
【０００１】
本発明は、複数個を結合させることによって、展示場のブースにおいて、柱や梁、また、店舗内の商品陳列台、広告掲示板として使用でき、また、その表面に印刷物を簡単に掲示することができる紙製ブロックに関するものである。
【背景技術】
【０００２】
図１４に示すように、従来、展示会場のブースを見栄えよくレイアウトするために、所謂アルミトラス（システムトラス）を使用してきていた。アルミトラスは、長手の面がトラス構造をしているので丈夫であり、また、既製品であって、端面をボルト又はクランプで接合できるので施工がしやすいという利点があった。
【０００３】
従来、仮設だけでなく、構造物にも使用されており、例えば、軽量化を図りつつ強度を維持、向上できるシステムトラスの先行技術が開示されている（参考文献１）。
【先行技術文献】
【特許文献】
【０００４】
【特許文献１】特開２０１０−０２４７６９号公報
【発明の概要】
【発明が解決しようとする課題】
【０００５】
特許文献１の先行技術には、鋼材の径を小さくしたり、さらにアルミ部材を使用して軽量化を図った点で優れているが、それでもやはりアルミトラスは重く設営や解体作業は重労働であるという問題や、展示会場のブースにおいて、アルミトラスを設営、解体するのに専用の職人が必要で、職人を確保するのが大変であるという問題や、また、アルミトラスはレンタル費用も高いという問題や、さらにアルミトラスに掲示物を貼設する際には、化粧パネルを別途、施工しなければならず、施工手間や費用がかかるし、使用後は産業廃棄物として処理し、リユースやリサイクルが難しいという問題があった。
【０００６】
本発明は、これらの問題を解決したものであって、軽量で扱いやすく、また、耐久性があって、そのうえ、丈夫であり、作業穴、接合穴及び掲示穴が設けられていて、誰でも設営や解体ができて、掲示物も簡単に掲示でき、しかも、リユースやリサイクルができる環境にもやさしい紙製ブロックを提供するものである。
【課題を解決するための手段】
【０００７】
上記の目的を達成するために、本願発明の請求項１に係る屋内用紙製ブロックは、リジッドペーパーボード又は強化段ボール又はハニカムボードでできた６面を有する直方体であって、該６面のうち少なくとも２面に接合具を通す接合穴と、少なくとも１面に手を入れて連結作業ができる作業穴と、を備え、かつ、該接合穴を有する面同士が密着して、連結し固定することを特徴とする。
【０００８】
この構成を採用することにより、本発明に係る紙製ブロックは、接合穴同士を合わせて、ボルトとナット、又は、Ｐジョイント（プラスチック製の脱着可能な包装用ジョイント）等の接続具を該接合穴に通し、紙製ブロック同士を連結して繋げていくことができる。これによって、紙製ブロックは、ズレたりせずに直方体の接合面を合わせて確実に紙製ブロック同士を繋げていくことができる。よって、設営後の見栄えが良い。また、本発明に係る紙製ブロックは、ブロックの状態（直方体形状）にしたままで、作業穴に手を入れることができるので、ボルト及びナットの締結作業やＰジョイントのメス部材の段ボールへの嵌め込み作業やオス部材の装着作業を誰でも簡単に行うことができる。また、解体作業もボルトとナット、及びＰジョイント等の接続具を外すだけなので、簡単な作業で誰でも行える。よって、特別な技能が必要ないので、組立てや解体に専用の職人必要とせず、工程を守り易く、また、手間代も非常に安価である。
【０００９】
また、本願の紙製ブロックは、硬質紙又は段ボールを使用しているので、軽量であり作業が楽である。また、紙製ブロックは、破損するまで何度でも再利用（リユース）することができる。また、紙製ブロックは、耐久年数が経過したり、また、破損したりした後は、硬質紙又は段ボールを溶かして再資源に（リサイクル）することができる。よって、本願の紙製ブロックは、環境にやさしい製品である。
【００１０】
また、本願の紙製ブロックは、大きさも自由に製作できるので、様々な用途に使うことができる。立方体又は直方体の形状に組立てた後に繋げることによって、展示会場のブースのシステムトラスの代わりに用いることができる。よって、門、柱、梁に使用でき、また、掲示物を貼る広告掲示板や展示物を載せる展示台や、商品の陳列台としてとしても使用できる。
【００１１】
本願発明の屋内用紙製ブロックは、前記段ボールが、リジッドペーパーボード又は強化段ボール又はハニカムボードである。
【００１２】
この構成によって、紙製ブロックの段ボールは、リジッドペーパーボード（段ボールを縦方向に向けて並べて、輪切りをして、その上下にライナを糊付けしたもの）で厚みが１０〜２０ｍｍ、又は強化段ボール（段ボールを水平に２〜３層積んで糊付けしたもの）で、厚みは、２層であれば約１０ｍｍ、３層であれば約１５ｍｍ、又はハニカムボード（６面体を縦方向に向けて並べて輪切りにして、その上下にライナを糊付けしたもの）で、厚みは１０〜３０ｍｍである。よって、これらの段ボールは軽量であっても強度が高く大変丈夫であるので、紙製ブロックを多数連結させることができ、門や柱として高く積み上げたり、長いスパンの梁として使用できる。
【００１３】
また、本願発明の請求項２に係る屋内用紙製ブロックは、請求項１に記載の屋内用紙製ブロックにおいて、前記接合穴が、前記６面全てに備えられたことを特徴とする。また、本願発明の請求項３に係る屋内用紙製ブロックは、請求項１又は２に記載の屋内用紙製ブロックにおいて、前記作業穴が、前記６面全てに備えたことを特徴とする。また、本願発明の請求項４に係る屋内用紙製ブロックは、請求項１又は２又は３に記載の屋内用紙製ブロックにおいて、少なくとも１面に掲示物を固定する掲示穴を備えたことを特徴とする。また、本願発明の請求項５に係る屋内用紙製ブロックは、請求項４に記載の屋内用紙製ブロックにおいて、前記掲示穴が、前記６面全てに備えたことを特徴とする。また、本願発明の請求項６に係る屋内用紙製ブロックは、請求項４又は５に記載の屋内用紙製ブロックにおいて、前記掲示穴に、パネル用ネジを用いて紙製硬質ボードを取付けたことを特徴とする。
【００１４】
これらの構成によって、接合穴が６面全てにあるので、紙製ブロックの６方向全てに、紙製ブロックを接合していけるので、様々な形状を組立てることができる。また、作業穴が６面の全てにあるので作業効率が非常に良くなる。また、本発明に係る紙製ブロックは、掲示物を取付けて固定するための掲示穴があり、ネジを用いて、直接紙製ブロックに取付けたり、全面印刷した紙製硬質ボードを取付けたりすることができる。これによって、本発明に係る紙製ブロックは、これを用いた展示会場のブースの門、柱、梁の全面に、装飾を施したり、宣伝物を簡単に掲示して、グラフィカルに訴求・演出することができる。
【発明の効果】
【００１５】
本発明に係る請求項１から６に記載の屋内用紙製ブロックによれば、連結・分離作業、設営・解体等の作業がしやすく、また、軽量で丈夫なブロックを連結していくことで、簡単に展示会場のブースの門、柱、梁、商品展示台、広告掲示板を設営したり、解体したりすることができる。よって、専門の作業員の必要がなく、直営の作業員でも作業が容易になり、展示ブースの設置に要する日程を短くすることができるし、労務費も安価にすることができる。また、製品が安価なので、ブースの設置の材料代も安価にすることができる。これらにより、展示ブースの施工が、経済的に廉価で、工期も短縮することが容易である。また、紙製ブロックの表面には、簡単に装飾等ができるので、グラフィカルに訴求・演出が容易にできる。また、屋内用紙製ブロックは、リユースやリサイクルが容易であるので、環境にもやさしい。
【図面の簡単な説明】
【００１６】
【図１】本発明の実施するための形態に係る紙製ブロックの模式的斜視図である。
【図２】本発明の実施するための別の形態に係る紙製ブロックの模式的斜視図である。
【図３】本発明の実施するための形態に係る紙製ブロックであって、展示会場のブースの柱と梁に使用した場合の模式的斜視図である。
【図４】本発明の実施するための形態に係る紙製ブロックであって、展示会場のブースの柱と梁に紙製硬質ボードを使用した場合の模式的斜視図である。
【図５】本発明の実施するための形態に係る紙製ブロックであって、展示会場のブースの掲示板に使用した場合の模式的斜視図である。
【図６】本発明の実施するための形態に係る紙製ブロックであって、展示会場のブースの掲示板に紙製硬質ボードを使用した場合の模式的斜視図である。
【図７】本発明の実施するための形態に係る紙製ブロックであって、展示会場のブースの柱と梁に使用した別の形態の場合の模式的斜視図である。
【図８】本発明の実施するための形態に係る紙製ブロックであって、展示会場のブースの柱と梁に紙製硬質ボードを使用した別の形態の場合の模式的斜視図である。
【図９】本発明の実施するための形態に係る紙製ブロックであって、リジッドペーパーボードの模式的斜視図である。
【図１０】本発明の実施するための形態に係る紙製ブロックであって、図９における水平方向に輪切りにした模式的斜視図である。
【図１１】本発明の実施するための形態に係る紙製ブロックであって、ハニカムボードの模式的斜視図である。
【図１２】本発明の実施するための形態に係る紙製ブロックであって、図１１における水平方向に輪切りにした模式的斜視図である。
【図１３】本発明の実施するための形態に係る紙製ブロックであって、強化段ボールの模式的斜視図である。
【図１４】図７における従来のシステムトラスを用いた展示会場のブースの模式的斜視図である。
【発明を実施するための形態】
【００１７】
図１、図２に示すように、本発明に係る紙製ブロック１は、６つの段ボール２の面からなる直方体又は立方体の形状であって、作業穴３、３−１、３−２、Ｐジョイント用の接合穴４、ボルト、ナット用の接合穴５、掲示物を固定するための掲示穴６を各面に、それぞれ備えている。
【００１８】
また、紙製ブロック１は、紙製ブロック１同士を、Ｐジョイント又はボルト、ナットで連結して、目的の形状に組み立てていくので、展示会場のディスプレイの門や梁、店舗内の広告掲示板や商品陳列台等に使用できるし、使用後に不要になれば解体して、再利用（リユース）することができる。
【００１９】
図９、図１０、図１１、図１２、図１３に示すように、段ボール２は、リジッドペーパーボード又は強化段ボール又はハニカムボードのいずれかでできている。リジッドペーパーボードは、複数個の段ボール２−２、２−３を縦方向に向けて並べて接着した後に、それを水平方向に輪切りをし、その上下にライナ２−１を接着したものであって、厚みが１０〜２０ｍｍである。また、強化段ボールは、段ボールを水平に２〜３層積んで接着したものであって２−１、２−２，２−５、厚みは、２層であれば約１０ｍｍ、３層であれば約１５ｍｍである。また、ハニカムボードは、６角柱表面のような形状の６面体２−４を縦方向に向けて並べて輪切りにして、その上下にライナ２−１を接着したもので、厚みは１０〜３０ｍｍである。これらの段ボール２は、非常に軽量で丈夫である。なお、１辺３０ｃｍの立方体において、リジッドペーパーボードでは、少なくとも２６０ｋｇまでは載荷しても破損しないし、また、強化段ボール（３層）では、少なくとも３７０ｋｇまでは載荷しても破損しない。
【００２０】
また、段ボール２は、紙製であるので、不要になれば、リサイクルができるし、また、焼却処分もできる。
【００２１】
作業穴３は、紙製ブロック１の６つの段ボール２の面のうち、少なくとも１つあればよく、６つの面全てに設けるのが好適である。作業穴３は、組立てた紙製ブロック１同士を連結する際に、紙製ブロック１の箱の中に、手を入れることができるので、容易に、Ｐジョイントを嵌合させたり又はボルト、ナットを螺合させたりすることができる。よって、紙製ブロック１の連結・分離作業、設営・解体作業が簡単で素早く行うことができるので、作業効率が上がる。また、専門の作業員でなくとも誰でも行えるので、人件費を抑えることができると共に、専門作業員不足による設営作業又は解体作業の遅れを防止できる。特に解体作業では、誰でも簡単に、紙製ブロック１を破損させず作業できるので、紙製ブロック１をリユースさせることができる。なお、作業穴３の大きさや形状は、手が入って作業しやすい大きさがあればよく、円形でも楕円形でもよいし、三角形でも四角形でもよい。
【００２２】
接合穴（Ｐジョイント用）４は、Ｐジョイントと呼ばれるプラスチック製の脱着可能な包装用ジョイントのオスとメスを嵌合又は分離させるための穴であり、Ｐジョイントがピッタリ嵌る大きさである。即ち、Ｐジョイントを使用して紙製ブロック１同士を連結又は分離させる際に使用するものである。この接合穴４を使用すれば、簡易にＰジョイントを嵌合等をさせることができる。また、接合穴４は、１つの段ボール２の面の４隅に設けるのが、４面それぞれの面が一つの平面になって見栄えが良くて、好適である。
【００２３】
接合穴（ボルト、ナット用）５は、ボルトとナットを用いて、紙製ブロック１同士を連結又は分離させる際に使用するものであり、ボルトがちょうど貫通する大きさがよい。また、接合穴５は、１つの段ボール２の面の４隅に設けるのが、４面それぞれの面が一つの平面になって見栄えが良くて、好適である。
【００２４】
掲示穴６は、紙製硬質ボードや印刷された紙を固定する際に使用する穴であり、専用のパネル用ネジ８を使用して固定するのが好適であり、掲示穴６の大きさもパネル用ネジがちょうど貫通できる大きさが良い。また、掲示穴６は、１つの段ボール２の面の４隅に設けるのが、しっかり固定できるので、好適である。
【００２５】
紙製硬質ボード７−１、７−２、７−３は、図４、図６、図８に示すように、展示会場で設営された柱、梁、掲示板の表面に固定して、印刷物を見せて、訴求、演出させるためのものである。印刷物を掲示する際は、紙製硬質ボードの表面に直接印刷してもよいし、印刷された紙等を貼設させてもよい。これによって、グラフィカルに訴求・演出が可能になり、展示会場のブースでは、来場者の目に留まり易くなる。
【００２６】
パネル用ネジ８は、専用の樹脂製のネジであって、ネジ８の頭は、印刷物と同色のものが、目立たないので好適である。
【００２７】
次に、本発明に係る紙製ブロック１の製造方法の一例を説明する。図１に示すように、所定の方法で製造されたリジッドペーパーボードからなる段ボール２を３０ｃｍ角の正方形に裁断し、周囲を斜めにそぎ落とす。そして、段ボール２の中心に直径２０ｃｍの作業穴３と、四隅の所定の位置に、それぞれ、直径３５ｍｍのＪジョイント用の接合穴４、１０ｍｍ角の正方形のボルト、ナット用の接合穴５、７ｍｍ角の掲示穴６を開けてから、６つの段ボール２の周囲をそれぞれ接着して、紙製ブロック１が完成する。なお、紙製硬質ボード７は、硬質紙ボードを所定の大きさに切断し、表面に所定の印刷を施した後、掲示穴に対応する位置に穴をあけて完成する。
【００２８】
また、本発明に係る紙製ブロックの使用方法の一例を図４を用いて説明する。
図７に示すように、展示会場のブースにおいて、直方体に組立てられた紙製ブロック１を所定の数量を用意する。そして、４本の柱に相当する部分の数の紙製ブロック１を、それぞれ１本ずつ倒した状態で、隣合う紙製ブロック１のそれぞれの作業穴３に手を入れて、Ｐジョイントのオスとメスを接合穴４で連結して組立てる。次に、４本の梁に相当する部分の数の紙製ブロック１を、同様にして、それぞれ１本ずつ地上で、隣合う紙製ブロック１のそれぞれの作業穴３に手を入れて、Ｐジョイントのオスとメスを接合穴４で連結して組立てる。そして、柱や梁のそれぞれの紙製ブロック１の所定の位置に、印刷された紙製硬質ボード７−１、７−２、７−３を、パネル用ネジ８を用いて掲示穴６に固定する。そして、柱を所定の位置で建てた状態にして、脚立や高所作業車を用いて、梁の端部の紙製ブロック１の端面２の接合穴４と、柱の頂上の紙製ブロック１の所定の面２の接合穴４とを合わせて、所定の作業穴３に手を入れて、Ｐジョイントのオスとメスを連結し固定して設営する。紙製ブロック１は軽量であるので、クレーンを使用せず人力だけで、柱を建てたり、梁を持ち上げて柱に固定させることができる。よって、クレーン等の重機を使用する必要がなく、また、作業穴３に手を入れて、Ｐジョイントを接合穴４で嵌めるだけの作業なので、専門の作業員でなくとも誰でも、安全に連結して設営作業をすることができる。よって、人件費等を抑えることができ、また、工程もきっちり守ることができる。
【００２９】
解体作業は、設営作業と逆にすればよい。この際に、Ｐジョイントの嵌合を外し、また、パネル用ネジ８を外せば、紙製ブロック１、及び、紙製硬質ボード７−１、７−２、７−３を、簡単かつ破損させることなく解体できるので、展示会場が変わっても、また、紙製ブロック１等を、再度使用すること（リユース）ができる。また紙製ブロック１や紙製硬質パネル７−１、７−２、７−３は、紙製なので破損したとしても、リサイクルできるし、また、焼却処分もできて、環境にやさしい。
【００３０】
本発明に係る紙製ブロック１は、作業穴３や接合穴４，５、掲示穴６が設けてあって作業がし易い。また、紙製ブロック１は、軽量で丈夫な直方体や立方体を連結していくことで、簡単に展示会場のブースの門、柱、梁を組立てて設営したり、解体したりすることができるので、専門の作業員の必要がなく、作業員を集めるのが容易になり、展示ブースの設置に要する日程を短くすることができるし、労務費も安価にすることができる。また、製品が安価なので、ブースの設置の材料代も安価にすることができる。また、紙製ブロック１の表面には、簡単に装飾等ができるので、グラフィカルに訴求・演出が容易にできる。また、紙製ブロック１は、リユースやリサイクルが容易であるので、環境にもやさしい。なお、本発明に係る紙製ブロック１は、展示会場のブースだけでなく、店舗内の商品陳列台及び広告掲示板にも使用できる。
【産業上の利用可能性】
【００３１】
展示会場のディスプレイや、店舗内の商品陳列台及び広告掲示板の分野や構造物の分野に広く利用することができる。
【符号の説明】
【００３２】
１：紙製ブロック（立方体）
１−１：紙製ブロック（直方体）      １−２：紙製ブロック（直方体ロング）
２：段ボール
２−１：ライナ（表面）              ２−２：ライナ（縦向き） 
２−３：中芯（波状）                ２−４：中芯（ハニカム状）
２−５：ライナ（中間）
３：作業穴  
３−１：作業穴（大）                ３−２：作業穴（小）
４：接合穴（Ｐジョイント用）
５：接合穴（ボルト、ナット用）
６：掲示穴
７−１：紙製硬質ボード（一列大）      ７−２：紙製硬質ボード（一列中）
７−３：紙製硬質ボード（大）
８：パネル用ネジ
【要約】
【課題】軽量で扱いやすく、また、耐久性があって、そのうえ、丈夫であり、作業穴、接合穴及び掲示穴が設けられていて、誰でも設営や解体ができて、掲示物も簡単な作業で掲示でき、しかも、リユースやリサイクルができる環境にもやさしい紙製ブロックを提供する。
【解決手段】硬質紙又は段ボールでできた６面を有する直方体であって、該６面のうち少なくとも２面に接合具を通す接合穴と、少なくとも１面に手を入れて連結作業ができる作業穴と、を備えていることを特徴とする。
【選択図】図１【図１】
0006777346.tif 000002
【図２】
0006777346.tif 000003
【図３】
0006777346.tif 000004
【図４】
0006777346.tif 000005
【図５】
0006777346.tif 000006
【図６】
0006777346.tif 000007
【図７】
0006777346.tif 000008
【図８】
0006777346.tif 000009
【図９】
0006777346.tif 000010
【図１０】
0006777346.tif 000011
【図１１】
0006777346.tif 000012
【図１２】
0006777346.tif 000013
【図１３】
0006777346.tif 000014
【図１４】
0006777346.tif 000015